(57)【要約】【課題】  記録媒体に画像記録を行うインクジェットプリンタにおいて、記録媒体の切断線が真っ直ぐであり、切断線も含めた高品質の記録画像を得ることができるインクジェットプリンタを提供すること。【解決手段】  サークルカッタにおいて、移動刃１３を軸支する移動ホルダ１２に、切断点よりも移動刃１３の移動方向の所定距離だけ前方の位置で記録媒体２を固定刃１１に圧着させ、記録媒体２の幅方向に回転しながら移動する押えコロ１４を設け、記録媒体２の切断点が捻られないようにする。【選択図】  図１
2005103842.tif 000002
【特許請求の範囲】
【請求項１】
記録媒体へ向かってインクを吐出して画像記録を行う記録ヘッドと、前記記録媒体を前記記録ヘッド側に搬送する搬送装置と、前記記録媒体を切断するカッタ装置と、を備えるインクジェットプリンタにおいて、
前記カッタ装置は、刃先が直線状であって前記記録媒体の幅方向に延在する固定刃と、
前記固定刃の刃先と対向する位置に設けられ、前記記録媒体の幅方向に回転しながら、前記固定刃と摺接して移動する円盤状の移動刃と、
前記固定刃の刃先と対向する側に設けられ、前記固定刃と前記移動刃とによる前記記録媒体の切断点よりも前記移動刃の移動方向の所定距離だけ前方に、前記記録媒体を前記固定刃に圧着させる押えコロと、を備えることを特徴とするインクジェットプリンタ。
【請求項２】
前記インクは、カチオン重合性化合物を含むカチオン重合系の光硬化型インクであり、
前記軟質記録媒体に着弾した前記インクに対して紫外線を照射する紫外線照射装置を備えることを特徴とする請求項１に記載のインクジェットプリンタ。
【請求項３】
前記記録媒体は、引張強度１０００Ｎ／ｃｍ2以上、引張伸度９０％以上、引裂強度６００Ｎ／ｃｍ2以上の軟質の記録媒体であることを特徴とする請求項１又は請求項２に記載のインクジェットプリンタ。
【請求項４】
前記所定距離は３０ｍｍ未満であることを特徴とする請求項１から請求項３のいずれか一項に記載のインクジェットプリンタ。
【発明の詳細な説明】
【技術分野】
【０００１】
本発明は、インクジェットプリンタに係り、特に、長尺の記録媒体を切断するカッタ装置を備えたインクジェットプリンタに関する。
【背景技術】
【０００２】
従来から、樹脂フィルム等のインク吸収性のない記録媒体に画像を記録する場合に、インクが滲まず、明瞭な画像の記録を行うことができるという利点がある紫外線硬化性のインクを用いたインクジェットプリンタが知られている。
【０００３】
このような、インクジェットプリンタは、内部に記録媒体を巻回した給紙ロール等を備え、画像記録を行った後、カッタ装置を用いてに必要な部分を給紙ロールから切断し、インクジェットプリンタの外部に排出するようになっている（例えば、特許文献１）。
【０００４】
上記切断に用いられるカッタ装置としては、刃先が直線状であって記録媒体の幅方向に延在する固定刃と、固定刃の刃先と対向する位置に設けられ、固定刃に摺接しながら記録媒体の幅方向に回転しながら移動する円盤状の移動刃とを有し、固定刃と移動刃が協働して固定刃に沿って記録媒体を切断するサークルカッタが用いられている。
【特許文献１】特開平０５−３０９８８８号公報
【発明の開示】
【発明が解決しようとする課題】
【０００５】
しかしながら、記録媒体の切断時に、上記固定刃と移動刃との切断点において、剪断方向に比較的大きな変形が生じ、記録媒体が捻られながら切断されてしまうと、切断線を直線にすることができなく、切断線も含めた記録画像の品質が低下してしまうという問題点があった。特に、いわゆるコシのない軟質の記録媒体は、切断時に剪断方向に比較的大きな変形が生じてしまうことが知られている。
【０００６】
そこで、本発明の課題は、記録媒体に画像記録を行うインクジェットプリンタにおいて、記録媒体の切断線が真っ直ぐであり、切断線も含めた高品質の記録画像を得ることができるインクジェットプリンタを提供することを目的とする。
【課題を解決するための手段】
【０００７】
上述の問題を解決するために、請求項１に記載の発明においては、記録媒体へ向かってインクを吐出して画像記録を行う記録ヘッドと、前記記録媒体を前記記録ヘッド側に搬送する搬送装置と、前記記録媒体を切断するカッタ装置と、を備えるインクジェットプリンタにおいて、
前記カッタ装置は、刃先が直線状であって前記記録媒体の幅方向に延在する固定刃と、
前記固定刃の刃先と対向する位置に設けられ、前記記録媒体の幅方向に回転しながら、前記固定刃と摺接して移動する円盤状の移動刃と、
前記固定刃の刃先と対向する側に設けられ、前記固定刃と前記移動刃とによる前記記録媒体の切断点よりも前記移動刃の移動方向の所定距離だけ前方に、前記記録媒体を前記固定刃に圧着させる押えコロと、を備えることを特徴としている。
【０００８】
このように請求項１に記載の発明によれば、前記記録媒体はその切断点よりも前記移動刃の移動方向の所定距離だけ前方で前記押えコロにより前記固定刃に圧着させられので、切断時において、その切断点に上記固定刃及び移動刃により外力が加えられたとしても、剪断方向に比較的大きな変形が生じることを防がれる。そのため前記記録媒体が捻られながら切断されることがなく、前記記録媒体の切断線を直線状にすることができる。
【０００９】
請求項２に記載の発明は、請求項１に記載のインクジェットプリンタにおいて、前記インクは、カチオン重合性化合物を含むカチオン重合系の光硬化型インクであり、前記記録媒体に着弾した前記インクに対して紫外線を照射する紫外線照射装置を備えることを特徴としている。
【００１０】
このように請求項２に記載の発明によれば、インクは、カチオン重合性化合物を含むカチオン重合系の光硬化型インクであり、インクジェットプリンタには前記記録媒体に着弾したインクに対して紫外線を照射する前記紫外線照射装置を備えているので、インクが記録媒体に着弾後、速やかにインクが硬化する。そのためインク吸収性のない前記記録媒体であっても、前記記録媒体はインクの滲みのない状態でインクの定着をさせることができる。
【００１１】
請求項３に記載の発明は、請求項１又は請求項２に記載のインクジェットプリンタにおいて、前記記録媒体は、引張強度１０００Ｎ／ｃｍ2以上、引張伸度９０％以上、引裂強度６００Ｎ／ｃｍ2以上の軟質の記録媒体であることを特徴としている。
【００１２】
このように請求項３に記載の発明によれば、前記切断点において剪断方向に比較的大きな変形が生じてしまう前記軟質の記録媒体であっても、前記軟質の記録媒体はその切断点よりも前記移動刃の移動方向の所定距離だけ前方で前記押えコロにより前記固定刃に圧着させられので、切断時において、その切断点に上記固定刃及び移動刃により外力が加えられたとしても、剪断方向に比較的大きな変形が生じることを防がれる。そのため前記軟質の記録媒体が捻られながら切断されることがなく、前記軟質の記録媒体の切断線を直線状にすることができる。
【００１３】
請求項４に記載の発明は、請求項１から請求項３に記載のインクジェットプリンタにおいて、前記所定距離は３０ｍｍ未満であることを特徴としている。
【００１４】
請求項４に記載の発明によれば、前記所定距離を３０ｍｍ未満に設定することで、特に前記軟質の記録媒体であっても、効果的に剪断方向に比較的大きな変形が生じることを防がれる。そのため前記記録媒体の軟硬の性質に関らず、前記記録媒体が捻られながら切断されることがなく、前記記録媒体の切断線を直線状にすることができる。
【発明の効果】
【００１５】
請求項１に記載の発明によれば、記録媒体の切断線を直線状にすることができるので、前記記録媒体の切断線も含めた高品質な記録画像を得ることができるという効果を奏する。
【００１６】
請求項２に記載の発明によれば、インク吸収性のない前記記録媒体であっても、前記記録媒体はインクの滲みのない状態でインクの定着を行うことができるので、高品質な記録画像を得ることができるという効果を奏する。
【００１７】
請求項３に記載の発明によれば、前記軟質の記録媒体の切断線を直線状にすることができるので、前記記録媒体の切断線も含めた高品質な記録画像を得ることができるという効果を奏する。
【００１８】
請求項４に記載の発明によれば、前記記録媒体の軟硬の性質に関らず、前記記録媒体の切断線を直線状にすることができるので、前記記録媒体の切断線も含めた高品質な記録画像を得ることができるという効果を奏する。
【発明を実施するための最良の形態】
【００１９】
以下に、本発明のインクジェットプリンタに係る実施の最良の形態について、図面を参照して説明する。
図１及び図２に示すインクジェットプリンタ１には、画像記録が行われていない記録媒体２が巻回された給紙ロール（不図示）と、画像記録が行われた記録媒体２をインクジェットプリンタ外部に搬出する搬出口（不図示）と、が備えられている。これら給紙ロールと搬出口との間には記録媒体２の搬送経路が形成されており、この搬送経路には給紙ロールから送出された記録媒体２を搬出口まで搬送する搬送装置３が設けられている。
【００２０】
この搬送経路上であって記録媒体２の非記録面側には平坦面を有するプラテン４が設けられており、記録媒体２は、この平坦面により支持されるようになっている。このプラテン４には平坦面を貫通する吸引孔（不図示）が形成されており、記録媒体２は吸引孔を介して吸引されることでプラテン４の平坦面に吸着されるようになっている。
【００２１】
一方、記録媒体２の記録面側であってプラテン４と対向する位置には、搬送経路に直交し、記録媒体２の幅方向に延在するガイドレール５が設置されている。このガイドレール５には記録媒体２の幅方向に往復動自在とされたキャリッジ６が支持されている。
【００２２】
このキャリッジ６には、搬送経路に沿って配列されたインク吐出口を有する記録ヘッド７，７・・が、搬送方向と直交する方向に沿って搭載されており、各記録ヘッド７，７・・はイエロー（Ｙ）、マゼンタ（Ｍ）、シアン（Ｃ）、ブラック（Ｋ）のインクが吐出されるようになっている。
【００２３】
また、キャリッジ６の搬送方向と直交する方向の記録ヘッド７，７・・両端には、紫外線を照射する紫外線照射装置８が取り付けられており、記録媒体２に着弾したインクは、この紫外線が照射されることにより、記録媒体２に定着するようになっている。
【００２４】
上記プラテン４より搬送経路の下流側には、カッタ装置１０が設置されている。このカッタ装置１０には、記録媒体２の非記録面側に配置され、前記記録媒体の幅方向に延在する刃先が直線状の固定刃１１が備えられている。また、このカッタ装置１０には、記録媒体２の記録面側に配置され、前記記録面側が開口された移動ホルダ１２が備えられている。
【００２５】
この移動ホルダ１２には、固定刃１１の刃先と対向する位置に刃先が設けられ、回転しながら、記録媒体２の幅方向に固定刃１１と摺接して移動する円盤状の移動刃１３が回転自在に軸支されており、固定刃１１の刃先と移動刃１３の刃先とが接する点（以下、単に切断点という）で記録媒体２は切断されるようになっている。
【００２６】
また、移動ホルダ１２には、切断点より移動刃１３の移動方向の所定距離だけ前方の位置で記録媒体２を固定刃１１に圧着させ、記録媒体２の幅方向に回転しながら移動する押えコロ１４が回転自在に軸支されている。この所定距離は３０ｍｍ未満に設定されている。
【００２７】
さらに、この移動ホルダ１２には、移動ホルダ１２を記録媒体２の幅方向に移動させる駆動装置（不図示）が設けられており、移動ホルダ１２が記録媒体２の幅方向に移動することによって、移動刃１２が回転しながら固定刃１１の刃先と摺接して移動するようになっている。また、移動ホルダ１２が記録媒体２の幅方向に移動することによって、押えコロ１４が記録媒体２の切断点近傍を記録媒体２に圧着しながら移動するようになっている。
【００２８】
また、本実施形態で用いられる記録媒体２としては、所謂軟包装に用いられる透明又は不透明な非吸収性の樹脂製フィルムであって、引張強度１０００Ｎ／ｃｍ2以上、引張伸度９０％以上、引裂強度６００Ｎ／ｃｍ2以上であるいわゆるコシのない軟質の記録媒体２を用いることができる。具体的にはビニールシート、ターポリン、ＦＦ（フレキシブルフェイス）等を用いることができる。
【００２９】
次に、本実施形態で使用されるインクについて説明する。
インクは、紫外線を照射されることによって硬化し、画像を記録する紫外線硬化インクである。紫外線硬化インクが硬化する反応は、紫外線硬化反応と呼ばれ、その方法は、２００〜４００ｎｍの波長を持つ光すなわち紫外線をプレポリマー、モノマー、光重合開始剤、添加剤からなる紫外線硬化樹脂に照射し、短時間で樹脂を硬化させる、というものである。紫外線硬化樹脂をバインダとして含む紫外線硬化性インクとしては、上記紫外線硬化樹脂に含まれる成分のうち、少なくとも重合性モノマー及び光開始剤、さらに色材を含むものが好ましい。
【００３０】
また、紫外線硬化インクは、重合化合物としてラジカル重合化合物を含むラジカル重合系インクと、カチオン重合性化合物を含むカチオン重合系インクとに大別される。
ラジカル重合の反応としては、紫外線を照射されると光重合開始剤がラジカルになり、これが重合性モノマーの重合性二重結合（不飽和基）に接近して二重結合部分が活性化されて次々と鎖状に結合されていく反応のことをいい、光重合反応は空気中の酸素によって阻害されるので、空気に触れている紫外線硬化樹脂の表面の硬化を短時間に処理するために比較的多量の紫外線照射が必要となる。従って、高出力の光源装置を搭載することとなって装置の長大化、装置の製造コストの増大を招いてしまう。
【００３１】
一方カチオン重合の反応は、紫外光で励起された塩が水素供与化合物から水素を引き抜いて水素イオンを放出させ、この水素イオンがターゲットを攻撃することによって開始する反応を言い、これによると、紫外線照射の際に空気中の酸素に阻害されることなく記録媒体上のインクを硬化させることができる。
【００３２】
そこで、酸素による重合反応の阻害が少ない又は無いカチオン重合系インクのほうが機能性・汎用性に優れるため、本実施形態では、特に、カチオン重合系インクを用いることとしている。
カチオン系紫外線硬化インクに含まれるカチオン重合性モノマーとしては、各種公知のカチオン重合性のモノマーを併用できる。例えば、特開平６−９７１４号公報、特開２００１−３１８９２号公報、特開２００１−４００６８号公報、特開２００１−５５５０７号公報、特開２００１−３１０９３８号公報、特開２００１−３１０９３７号公報、特開２００１−２２０５２６号公報に例示されているエポキシ化合物、ビニルエーテル化合物、その他にもオキセタン化合物などが挙げられる。
【００３３】
芳香族エポキシド、脂環式エポキシド、脂肪族エポキシドのうち、速硬化性を考慮すると、芳香族エポキシド及び脂環式エポキシドが好ましく、特に脂環式エポキシドが好ましい。本発明においては、上記エポキシドの１種を単独で使用してもよいが、２種以上を適宜組み合わせて使用してもよい。
【００３４】
ビニルエーテル化合物のうち、硬化性、密着性、表面硬度を考慮すると、ジ又はトリビニルエーテル化合物が好ましく、特にジビニルエーテル化合物が好ましい。本発明では、上記ビニルエーテル化合物の１種を単独で使用してもよいが、２種以上を適宜組み合わせて使用してもよい。
【００３５】
次に本実施の形態の作用について説明する。
本実施形態に係るインクジェットプリンタ１で用いられるインクは、カチオン重合性化合物を含むカチオン重合系の光硬化型インクであり、インクジェットプリンタ１には記録媒体２に着弾したインクに対して紫外線を照射する紫外線照射装置８を備えているので、インクが記録媒体２に着弾後、速やかにインクが硬化する。そのためインク吸収性のない記録媒体２であっても、記録媒体２はインクの滲みのない状態でインクの定着をさせることができる。
【００３６】
また、画像記録がなされた記録媒体２は、その切断される位置をカッタ装置１０の配置されている位置に、搬送装置３によって配置される。そして前述の位置に配置された記録媒体２は、その切断点よりも移動刃１２の移動方向の所定距離だけ前方で押えコロ１４により固定刃１１に圧着させられるので、記録媒体２は切断時において、その切断点に固定刃１１及び移動刃１３により外力が加えられたとしても、剪断方向に比較的大きな変形が生じることを防がれる。
【００３７】
そのため記録媒体２が捻られながら切断されることがなく、記録媒体２の切断線を直線状にすることができる。さらに本実施形態では所定距離を３０ｍｍ未満に設定しているので、特に、軟質の記録媒体２であっても、効果的に剪断方向に比較的大きな変形が生じることを防ぐことができる。
【００３８】
以上、説明してきたように本実施形態によれば、インク吸収性のない記録媒体２であっても、記録媒体２はインクの滲みのない状態でインクの定着をさせることができるので、高品質な記録画像を得ることができるという効果を奏する。
【００３９】
また、記録媒体２の軟硬の性質に関らず、記録媒体２の切断線を直線状にすることができるので、記録媒体２の切断線も含めた高品質な記録画像を得ることができるという効果を奏する。
【００４０】
さらに、従来は上述の記録媒体２の切断は、記録媒体２を捻らないように手動で行っていたが、本実施形態によれば自動的に記録媒体２を捻らせず切断線を直線状にすることができるという効果を奏する。
【図面の簡単な説明】
【００４１】
【図１】本発明によるインクジェットプリンタの実施形態の構成を示す正面図である。
【図２】本発明によるインクジェットプリンタの実施形態の構成を示す側面図である。
【符号の説明】
【００４２】
１  インクジェットプリンタ
２  軟質記録媒体
７  記録ヘッド
８  紫外線照射装置
１０  カッタ装置
１１  固定刃
１３  移動刃
１４  押えコロ
【図１】
2005103842.tif 000003
【図２】
2005103842.tif 000004